(57)【要約】【課題】表示文字や店舗のレイアウトなどを見た目に変化でき、高級感に溢れた表示が可能であって、安価に製造できる表示プレートおよびその製造方法を提供する。【解決手段】表面にレイアウト情報を印刷した白色フィルム１の印刷面が、所定の厚さを有する芯板２の一方面を向くように貼り付け、保護層を介してインク受理層に文字などの表示情報を印刷した透明フィルム３を、インク受理層が芯板２の他方面を向くように貼り付けるようにしたので、透明の芯板２を介してレイアウト情報と文字情報とを重ねて表示することにより、見る角度でレイアウト情報と文字情報との相対的な位置に変化を持たせることができる。【選択図】図１
2007094101.tif 000002
【特許請求の範囲】
【請求項１】
所定の厚みを有する透明の芯板と、
表面に第１の表示情報が印刷され、その印刷面が前記芯板の一方面を向くように貼り付けられる第１のフィルムと、
保護層とインク受理層とが積層され、前記保護層を介して前記インク受理層に第２の表示情報が印刷され、前記インク受理層が前記芯板の他方面を向くように貼り付けられる透明な第２のフィルムとを備える、表示プレート。
【請求項２】
前記第１のフィルムは、有色のフィルムであって、前記第１の表示情報がインクジェット印刷され、
前記第２のフィルムには、前記第２の表示情報がインクジェット印刷される、請求項１に記載の表示プレート。
【請求項３】
前記第１の表示情報はレイアウト情報であり、前記第２の表示情報は文字情報である、請求項１または２に記載の表示プレート。
【請求項４】
第１のフィルムに第１の表示情報を印刷する工程と、
保護層とインク受理層とが積層された第２のフィルムに、前記保護層を介して前記インク受理層に第２の表示情報を印刷する工程と、
所定の厚みを有する透明の芯板の一方面に、印刷面が前記芯板の一方面を向くように前記第１のフィルムを粘着剤で貼り付ける工程と、
前記芯板の他方面に、前記インク受理層が前記芯板の他方面を向くように、前記第２のフィルムを粘着剤で貼り付ける工程とを備える、表示プレートの製造方法。
【発明の詳細な説明】
【技術分野】
【０００１】
この発明は、表示プレートおよびその製造方法に関し、ビル内の店舗などの案内表示に使用される表示プレートおよびその製造方法に関する。
【背景技術】
【０００２】
例えば、ビル内にはテナントとして種々の業種の店舗が入居しており、ビル内のエレベータの乗り場やエスカレータの昇降場所に、各フロアにおける店舗を案内するための表示プレートが設置されている。従来の表示プレートは、台紙にオフセット印刷を施し、表面にラミネート処理を行うのが一般的である。しかし、オフセット印刷は印版が必要であり、その版代にコストを要し、版にインクがなじむまで紙に何回も印刷を行う必要があり、そのコストと労力は無視できない
特に、表示プレートは設置場所に応じて、現在地の表示を変えなくてはならないため、少量生産せざるを得ず。コスト的に高くなってしまう。また、テナントが変わる都度表示プレートも変えなくてはならず、その都度出費を強いられてしまう。
【０００３】
そこで、特開２００１−２５５８２９号公報（特許文献１）には、コストを削減する目的で、塩化ビニールなどのプラスチック製芯板の表面に、インクジェット印刷を施した透明フィルムの印刷面を芯板側に向けて接着剤で貼り付けて表示プレートを作成することが記載されている。
【特許文献１】特開２００１−２５５８２９号公報（段落番号０００９〜００１１、図１）
【発明の開示】
【発明が解決しようとする課題】
【０００４】
しかしながら、特許文献１に記載されている表示プレートは、印刷した透明フィルムを裏面から貼り付けているだけであるため、表示が単調であり、安っぽいという印象をぬぐえない。特に、しゃれた店舗が入居しているビルでは雰囲気を悪くしてしまう場合もある。
【０００５】
また、特許文献１には、インクジェット印刷を用いることでコストを安くできると記載されているが、印刷面の裏面側が表示面になるので、文字や店舗のレイアウトなどを左右逆となるように印刷する必要があり、そのためのデータを一般に用いられているパーソナルコンピュータで作成するために特殊なプログラムを準備しなければならない。
【０００６】
そこで、この発明の目的は、表示文字や店舗のレイアウトなどを見た目に変化でき、高級感に溢れた表示が可能であって、安価に製造できる表示プレートおよびその製造方法を提供することである。
【課題を解決するための手段】
【０００７】
この発明は表示プレートであって、所定の厚みを有する透明の芯板と、表面に第１の表示情報が印刷され、その印刷面が芯板の一方面を向くように貼り付けられる第１のフィルムと、保護層とインク受理層とが積層され、保護層を介してインク受理層に第２の表示情報が印刷され、インク受理層が芯板の他方面を向くように貼り付けられる透明な第２のフィルムとを備える。
【０００８】
透明の芯板を介して第１の表示情報と第２の表示情報とを重ねて表示することにより、見る角度で第１の表示情報と第２の表示情報との相対的な位置に変化を持たせることができ、従来の表示パネルに比較して、見た目での表示に変化を持たせることができる。
【０００９】
好ましくは、第１のフィルムは、有色のフィルムであって、第１の表示情報がインクジェット印刷され、第２のフィルムには、第２の表示情報がインクジェット印刷される。インクジェット印刷で情報を表示できるので専用の版を製造する必要がなく、コストの低減を図ることができる。
【００１０】
好ましくは、第１の表示情報はレイアウト情報であり、第２の表示情報は文字情報である。第１および第２の表示情報は、ともに印刷面側が表の位置になるので情報を左右反転させる必要がなく、インクジェットプリンタに入力するデータも一般に使用されているパーソナルコンピュータで可能になる。
【００１１】
この発明の他の局面は、表示プレートの製造方法であって、第１のフィルムに第１の表示情報を印刷する工程と、保護層とインク受理層とが積層された第２のフィルムに、保護層を介してインク受理層に第２の表示情報を印刷する工程と、所定の厚みを有する透明の芯板の一方面に、印刷面が芯板の一方面を向くように第１のフィルムを粘着剤で貼り付ける工程と、芯板の他方面に、インク受理層が芯板の他方面を向くように、第２のフィルムを粘着剤で貼り付ける工程とを備える。
【００１２】
したがって、この製造方法により、専用の版などを用いることなく表示プレートを安価に製造できる。
【発明の効果】
【００１３】
この発明によれば、表面に第１の表示情報を印刷した第１のフィルムの印刷面が、所定の厚さを有する芯板の一方面を向くように貼り付け、保護層を介してインク受理層に第２の表示情報を印刷した透明な第２のフィルムを、インク受理層が芯板の他方面を向くように貼り付けるようにしたので、透明の芯板を介して第１の表示情報と第２の表示情報とを重ねて表示することにより、見る角度で第１の表示情報と第２の表示情報との相対的な位置に変化を持たせることができ、従来の表示パネルに比較して変化を持たせることができる。その結果、例えば表示情報として文字や店舗のレイアウトなどを見た目に変化でき、高級感に溢れた表示が可能であって、表示パネルを安価に製造できる。
【発明を実施するための最良の形態】
【００１４】
図１はこの発明の一実施形態における表示パネルを分解して示す斜視図であり、図２は図１に示した表示パネルの一部の断面を拡大して示した図である。
【００１５】
この発明の一実施形態における表示パネル１０は、有色の第１のフィルムとしての白色フィルム１と、芯板２と、第２のフィルムとしての透明フィルム３とを重ねて構成されており、店舗のレイアウトや店名などが立体的に視認できるように表示される。白色フィルム１には、第１の表示情報として、例えばビルの店舗のレイアウトやエスカレータなどを示す平面図が例えばインクジェットにより印刷されている。
【００１６】
各店舗のレイアウトは店舗ごとに印刷色を変更することで、見やすく、カラフルに表現することが可能になる。また、各店舗のレイアウトの枠部分のみを各種色を変えて印刷したり、各店舗のレイアウト内を各色で塗りつぶしてもよい。さらに、各店舗のレイアウトを示す線は横線と縦線で幅を変えたり、横線は赤色で縦線は薄赤色というように立体感を強調できるように変化させてもよい。さらに、エスカレータやエレベータや階段などは黒色で印刷すれば各店舗との区別がわかりやすく、見やすいものにすることができる。
【００１７】
白色フィルム１は、その印刷面が芯板２に向くように芯板２に貼り付けられる。芯板２は、例えばアクリル樹脂が用いられるがその他に透明ガラスやその他の透明な樹脂を用いてもよい。芯板２は、例えば５ｍｍ厚のように、ある程度の厚みを有する方が、透明フィルムを貼り付けたときに立体感を強調して表示することが可能になる。
【００１８】
透明フィルム３は図２に示すように粘着層３１と、インク受理層３２と、保護層としてのフッ素層３３とを有している。フッ素層３３上からインクジェット印刷により各店舗の名称や出口やエスカレータなどの表示文字を吹付けると、吹付けられたインクがフッ素層３３から沈んでインク受理層３２に到達する。このため、透明フィルム３のフッ素層３３上に印刷文字が露出することがなく、印刷面が直接外部に曝されることがないので、人の手で透明フィルム３上を撫で回しても、摩擦などにより印刷が消えて見えにくくなることがない。
【００１９】
図３はこの発明の一実施形態における表示パネルの一部における表示例を示す図である。この実施形態の表示パネル１０は、図１に示したように白色フィルム１にレイアウトを示す線などを印刷して、印刷を芯板２の一方面に貼り付け、表示文字などを印刷した透明フィルム３を芯板２の他方面に貼り付けたので、レイアウトを示す線と表示文字とは芯板２の厚みを隔てて表示されることになる。
【００２０】
このため、図３（Ａ）に示すように表示パネル１０を正面から見ると、例えば「洋菓子」という文字が店舗のレイアウト図の中央に表示されるが、表示パネル１０を上方向から見下ろすと、図３（Ｂ）に示すように表示文字が下方向に移動して見え、表示パネル１０を下方向から見上げると同じ表示文字が図３(Ｃ)に示すように上方向に移動して見え、表示パネル１０を左方向から見ると同じ表示文字が図３（Ｄ）に示すように右に移動して見え、表示パネル１０を右方向から見ると同じ表示文字が図３（Ｅ）に示すように左方向に移動して見える。
【００２１】
このように表示パネル１０に表示されるレイアウトの線と表示文字とが見る方向によって相対的に変化させることができるので、従来の表示パネルでは表現できない表示効果を得ることができる。
【００２２】
次に、この発明の一実施形態における表示パネル１０の製造方法について説明する。まず、芯板２として、厚みが例えば５ｍｍ程度のアクリル板を四角形状の所定の大きさに切断して用意する。芯板２の厚みがあまり薄いと、立体感が乏しくなり、厚みが厚いとコストが高くなってしまい無駄になる。白色フィルム１および透明フィルム３は、それぞれの厚みが例えば０．１〜２ｍｍ程度のものが好ましく、プラスチックフィルムやＰＥＴ樹脂フィルムが用いられる。
【００２３】
白色フィルム１には、図１に示した店舗などのレイアウト図をインクジェットプリンタを用いて印刷する。この実施形態では、白色フィルム１の印刷面を表示面として芯板２に貼り付けるので、左右反転したレイアウト図を用いる必要はない。このため、一般に用いられているパーソナルコンピュータを用いて、印刷すべきレイアウト図などを作成し、そのデータをインクジェットプリンタに出力するだけで、コストをかけることなく印刷が可能である。
【００２４】
なお、白色フィルム１に代えて透明フィルムあるいはその他の色に着色したフィルムを用いてもよい。透明フィルムを用いる場合は、印刷した透明フィルムの印刷面と反対の面に着色したフィルムを貼り付けたり、表示パネルを設置する壁面の色を利用してもよい。
【００２５】
透明フィルム３には、図１に示した表示文字をインクジェットプリンタを用いて印刷する。この場合も、透明フィルム３も印刷面が表示面になるので表示文字を左右逆にする必要がない。したがって、パーソナルコンピュータを用いて表示文字などを簡単に作成できる、
次に、芯板２の一方面に接着剤を塗布する。この接着剤としては、プラスチック材料に対する粘着性の優れた粘着剤であって、好ましくは透明なものが使用される。そのような粘着剤としては、例えば市販の発泡体用アクリル系粘着剤を用いることができる。この粘着剤は、酢酸エチルやトルエンなどの溶剤に溶かした液状として販売されており、入手は簡単である。この粘着剤を芯板２の一方面に塗布し、レイアウト図を印刷した白色フィルム１を、その印刷面が芯板２に向くように貼り付ける。
【００２６】
芯板２の他方面には、表示文字を印刷した透明フィルム３を貼り付ける。透明フィルム３には裏面に粘着層３１が設けられているので、この粘着層３１を芯板２の他方面に貼り付ける。もし、粘着層３１が設けられていない透明フィルムを用いる場合には、白色フィルム１を貼り付けるための粘着剤と同じものを用いて芯板２に貼り付けることができる。
【００２７】
このように芯板２の一方面に、レイアウト図などを印刷した白色フィルム１を、その印刷面が芯板２を向くように貼り付け、芯板２の他方面に、表示文字などを印刷した透明フィルム３を印刷面が表になるように貼り付けるだけで、図３に示したように見る方向に応じてレイアウト図に対して表示文字の相対位置が変化する表示パネルを製造できる。しかも、インクジェット印刷でレイアウト図や表示文字などを印刷できるので、レイアウトや表示文字などのデータさえあれば、比較的簡単に表示パネルを製造できる
さらに、比較的薄い白色フィルム１や透明フィルム３に直接インクジェット印刷が可能であるため、長尺のフィルムに連続して印刷し、印刷後に所定の長さに切断して使用することもできる。
【００２８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２９】
この発明の表示パネルおよびその製造方法は、ビル内の店舗やエスカレータの昇降口などを案内表示するために利用できる。
【図面の簡単な説明】
【００３０】
【図１】この発明の一実施形態における表示パネルを分解して示す斜視図である。
【図２】図１に示した表示パネルの断面を拡大して示した断面図である。
【図３】この発明の一実施形態における表示パネルの表示例を示す図である。
【符号の説明】
【００３１】
１  白色フィルム、１１  接着剤、２  芯板、３  透明フィルム、３１  粘着層、３２  インク受理層、３３  フッ素層。
【図１】
2007094101.tif 000003
【図２】
2007094101.tif 000004
【図３】
2007094101.tif 000005